(57)【特許請求の範囲】
【請求項１】
指や紙片を水で濡らすための紙めくりであって、
水を入れる抗菌性の容器と、
材質が毛細管現象により水を吸収するシート状の防カビ性不織布であり、一方の端部が前記容器の水に浸水され、他方の端部が前記容器の外部に配置された水保湿材と
を備え、
前記水保湿材の他方の端部に指や紙片を接触させることで、当該指や紙片を水に濡らし、
前記水保湿材の材質は、目付量が１２０ｇ／ｍ２〜２００ｇ／ｍ２であり、熱エンボス加工が施されて、毛細管現象により水を吸収する不織布であることを特徴とする紙めくり。
【請求項２】
指や紙片を水で濡らすための紙めくりであって、
水を入れる抗菌性の容器と、
材質が毛細管現象により水を吸収するシート状の防カビ性不織布であり、一方の端部が前記容器の水に浸水され、他方の端部が前記容器の外部に配置された水保湿材と
を備え、
前記水保湿材の他方の端部に指や紙片を接触させることで、当該指や紙片を水に濡らし、
内部に前記容器を収納するハウジングと、
前記ハウジングの上方近傍に設けられ、外部から内部に連通し、前記水保湿材が挿通可能な差込口とを備え、
前記水保湿材の一方の端部が、外部から前記差込口に挿通されると、前記ハウジングの内部の容器の水に浸されることを特徴とする紙めくり。
【請求項３】
前記ハウジングの内面で、かつ、前記差込口の上方近傍に、前記ハウジング内の容器の内部に向かって延出された案内板を備え、
前記水保湿材の一方の端部が、外部から前記差込口へ挿通されると、前記案内板が、当該一方の端部を容器の内部へ向かって案内する
請求項２に記載の紙めくり。
【発明の詳細な説明】
【技術分野】
【０００１】
本発明は、紙めくりに関し、詳しくは、無駄に水がつかずに、清潔に使用することが可能な紙めくりに関する。
【背景技術】
【０００２】
従来より、新たに機能性を付加した紙めくりの技術が多数存在する。例えば、実用新案登録第３１６４９４３号公報（特許文献１）には、手指や腕などに巻き回されて固定されるバンド装着部と、前記バンド装着部の中央にその椀状下部が取り付けられる軟質材からなるケース部と、前記ケース部の表面側に露出配置されるスポンジやファイバーなどからなる指濡らし用成分を保持する保湿部とを備えたことを特徴とする紙めくり補助具が開示されている。これにより、混雑した発券売場等での取り扱いが容易となり、長期間にわたり使用出来て、携行性に優れるとしている。
【０００３】
又、実用新案登録第３１１２９２９号公報（特許文献２）には、衣類や買い物かご等に取付け可能な容器本体にスプリングヒンジで連結され、押しボタンのワンタッチ操作で開放できるキャップを具備し、容器本体内に紙めくり剤を収納したことを特徴とする携帯用紙めくり剤容器が開示されている。これにより、例えば、倉庫作業現場における伝票めくり、棚卸などに伴う伝票めくりやスーパーマーケット等で品物を入れる袋を開けるとき等に容易に紙めくり剤を指先につけて使用することが出来て、しかも使用者が専用に使用するものであるから、衛生的であるとしている。
【０００４】
又、実開平５−６５６００号公報（特許文献３）には、海綿やノンスリップ剤等、指先の滑り止めとして用いられる滑り止め具と、前記滑り止め具を保持するケース体とからなる紙めくり具が開示されている。このケースは、衣服又は身体の一部に対して着脱可能な係止部を有している。これにより、使用する場所を選ばず、何処でも必要なときに使用することが出来るとともに、常に衣服等の一部に取り付けられているため、紛失するおそれがないとしている。又、ケース体に名前記入欄を設ければ名札として利用することも出来るから、衣服に取り付けても違和感がないとしている。
【０００５】
又、特開平８−３１０１５８号公報（特許文献４）には、粘着剤のついたゴムシートをくり抜いて指にはりつけ、紙をめくるときの補助具とした紙めくり補助具が開示されている。これにより、指先の蒸れ防止と煩雑さが無くなる等の効果があるとしている。
【０００６】
又、特開平１０−２９３８８号公報（特許文献５）には、バンド（２）表面の１部に、容器（１）を設け、容器（１）は蝶番（３）を介して開閉自存のフタ（４）を設け、容器（１）にクリーム（５）を収納した携帯式紙めくりクリームが開示されている。これにより、腕にはめて携帯出来たり、フタが片手で簡単に開け閉め出来たりして、どんな場所でも使用出来るとしている。
【０００７】
又、実用新案登録第３１４７１２２号公報（特許文献６）には、小型薄型の紙めくりジェル容器を取り付けた、本のしおりが開示されている。これにより、読みかけの本に挟んで、いつでも持ち歩くことが出来るとともに、電車の中などで読書をする際、特に冬場では、指先が乾燥して滑ってしまい、ページをめくる事が難しいことがあるが、こんなとき、指をなめずに、指先に紙めくりジェルをつけることが出来るとしている。
【０００８】
又、実用新案登録第３１３８２３４号公報（特許文献７）には、各種素材からなる装飾性或いは宣伝性での書物ＡのページＢ間に挿入されるページめくり付きしおりが開示されている。このページめくり付きしおりでは、これらの可撓性の帯び状シート体でなる基台１の一部に位置して、任意形状の柔軟性ゴム系材質或いは湿式不織布系材等の摩擦係数の大きい滑り止め面部２を一体化したことを特徴とする。これにより、滑り面部をページコーナーのめくろうとする近辺に配置し、指先でこの部を押しながら摩擦の抵抗でページがめくられ、汚れた指先をなめたり、防寒手袋を外したり、ゴム製の指サックを使わずに確実に素早く、書物のページを一枚のしおりでスムーズにめくる操作が出来るとしている。
【０００９】
又、特開２００３−１１８２６５号公報（特許文献８）には、本体部と、前記本体部と一体形成された挿入部と、前記本体部に設けられ、前記挿入部を挿入するための穴とを備えることを特徴とする紙めくり具が開示されている。これにより、単純な構成であり、低コストで製造することが出来るとともに、挿入部を穴に挿入する長さを変えることにより、使用者の指を通すリング形状の径を自由に調整することが出来て、使用者の指のサイズに応じて微調整が可能であるとしている。
【先行技術文献】
【特許文献】
【００１０】
【特許文献１】実用新案登録第３１６４９４３号公報
【特許文献２】実用新案登録第３１１２９２９号公報
【特許文献３】実開平５−６５６００号公報
【特許文献４】特開平８−３１０１５８号公報
【特許文献５】特開平１０−２９３８８号公報
【特許文献６】実用新案登録第３１４７１２２号公報
【特許文献７】実用新案登録第３１３８２３４号公報
【特許文献８】特開２００３−１１８２６５号公報
【発明の概要】
【発明が解決しようとする課題】
【００１１】
しかしながら、上述した特許文献１に記載の技術では、スポンジ等の保湿部に指濡らし用成分（水）を吸収させて使用するものの、保湿部への指の接触具合により、指に指濡らし用成分（水）が無駄につくという問題がある。従来から存在するスポンジ型紙めくりであっても、同様の問題がある。
【００１２】
又、特許文献２−６に記載の技術では、特殊な紙めくり剤等を使用するため、指につけた紙めくり剤がべた付くとともに、紙めくりが終わった後に、この紙めくり剤をふき取る必要があり、手間であるという問題がある。従来から存在する紙めくり用クリームであっても、同様の問題がある。
【００１３】
又、特許文献７に記載の技術では、特殊な材質の滑り止め面部を使用する必要があり、特許文献８に記載の技術では、特殊な構成の紙めくり具を製造する必要があり、コストが掛かるという問題がある。従来から存在する弾性の指サックであっても、同様の問題がある。
【００１４】
又、通常の紙めくりでは、水を長期間扱うとともに人の指と接触するため、何らかの原因で雑菌やカビが入ったまま長期間使用すると、雑菌やカビが繁殖して、不衛生になるという問題がある。
【００１５】
そこで、本発明は、前記問題を解決するためになされたものであり、無駄に水がつかずに、清潔に使用することが可能な紙めくりを提供することを目的とする。
【課題を解決するための手段】
【００１６】
本発明者は、鋭意研究を重ねた結果、本発明に係る新規な紙めくりを完成させた。即ち、本発明は、指や紙片を水で濡らすための紙めくりであって、水を入れる抗菌性容器と、材質が毛細管現象により水を吸収するシート状の防カビ性不織布であり、一方の端部が前記容器の水に浸水され、他方の端部が前記容器の外部に配置された水保湿材とを備え、前記水保湿材の他方の端部に指や紙片を接触させることで、当該指や紙片を水に濡らすことを特徴とする。
【００１７】
又、前記水保湿材の材質は、目付量が１２０ｇ／ｍ２〜２００ｇ／ｍ２であり、熱エンボス加工が施されて、毛細管現象により水を吸収する不織布である。
【００１８】
又、内部に前記容器を収納するハウジングと、前記ハウジングの外部から内部に連通し、前記水保湿材が挿通可能な差込口とを備え、前記水保湿材の一方の端部が、前記ハウジングの外部から前記差込口に挿通されると、前記ハウジングの内部の容器の水に浸される。
【００１９】
又、前記ハウジングの内面で、かつ、前記差込口の上方近傍に、前記ハウジング内の容器の内部に向かって延出された案内板を備え、前記水保湿材の一方の端部が、前記ハウジングの外部から前記差込口へ挿通されると、前記案内板が、当該一方の端部を容器の内部へ向かって案内する。
【発明の効果】
【００２０】
本発明に係る紙めくりによれば、無駄に水がつかずに、清潔に使用することが可能となる。
【図面の簡単な説明】
【００２１】
【図１】本発明に係る紙めくりの水保湿材を容器の水に浸水させる際の斜視図（図１Ａ）と、本発明に係る紙めくりの水保湿材を容器の水に浸水させた状態の斜視図（図１Ｂ）とである。
【図２】本発明に係る紙めくりを使用している状態の斜視図である。
【図３】実施例に係る紙めくりの容器をハウジング内に収納した状態の正面斜視図（図３Ａ）と、背面斜視図（図３Ｂ）と、実施例に係る紙めくりの容器をハウジングから外した状態の斜視図（図３Ｃ）とである。
【図４】実施例に係る紙めくりのハウジングの差込口に水保湿材を差し込む場合の側面視断面図（図４Ａ）と、実施例に係る紙めくりのハウジングの差込口に水保湿材を差し込んだ場合の側面視断面図（図４Ｂ）とである。
【図５】水含有前の不織布に分離酵母を噴霧した場合の繁殖状況（図５Ａ１）と、水含有後の不織布に分離酵母を噴霧した場合の繁殖状況（図５Ａ２）と、水含有前の不織布に繊維カビを噴霧した場合の繁殖状況（図５Ｂ１）と、水含有後の不織布に繊維カビを噴霧した場合の繁殖状況（図５Ｂ２）とである。
【発明を実施するための形態】
【００２２】
以下に、添付図面を参照して、本発明に係る紙めくりの実施形態について説明し、本発明の理解に供する。尚、以下の実施形態は、本発明を具体化した一例であって、本発明の技術的範囲を限定する性格のものではない。
【００２３】
＜紙めくり＞
本発明は、指や紙片を水で濡らすための紙めくり１であって、図１に示すように、水Ｗを入れる抗菌性容器１０と、材質が毛細管現象により水Ｗを吸収するシート状の防カビ性不織布であり、一方の端部１１ａが前記容器１０の水Ｗに浸水され、他方の端部１１ｂが前記容器１０の外部に配置（露出）された水保湿材１１とを備え、前記水保湿材１１の他方の端部１１ｂに指や紙片を接触させることで、当該指や紙片を水Ｗに濡らすことを特徴とする。ここで、毛細管現象とは、狭い空間を水Ｗが重力に関係なく浸透する現象を意味する。これにより、指に水Ｗが無駄につかずに、清潔に使用することが可能となる。
【００２４】
即ち、図１Ａに示すように、水保湿材１１の一方の端部１１ａを容器１０の水Ｗに浸水させると、図１Ｂに示すように、当該水保湿材１１の不織布が毛細管現象により容器１０の水Ｗを吸収し、重力に関係なく、他方の端部１１ｂまで水Ｗで濡れることになる。つまり、水保湿材１１のシートの一方の端部１１ａを容器１０の水Ｗに浸しておくだけで、当該水保湿材１１がどのような形状、形態であっても、毛細管現象により、自動的に、一方の端部１１ａの反対側である他方の端部１１ｂを水Ｗに濡らすことが出来るのである。そこで、ユーザーは、水Ｗに浸かっていない水保湿材１１の他方の端部１１ｂを指で擦って接触させれば、図２に示すように、当該指を程よい量（数ｇ）の水Ｗで濡らすことが可能となる。又、水保湿材１１の水の吸収は、毛細管現象によるから、必要以上に水保湿材１１が水Ｗで濡れることが無い。そのため、ユーザーが水保湿材１１の他方の端部１１ｂに指で触れた際も、程よい量の水Ｗしか指へ移行しないことになる。従って、本発明では、従来のスポンジ型紙めくりのように、指の接触具合により水Ｗが無駄につくことを確実に防止することが可能となる。
【００２５】
又、ユーザーが、水保湿材１１の他方の端部１１ｂに紙片（例えば、切手）を接触させても、当該紙片に程よい量の水Ｗが移行するため、当該紙片を適度に水Ｗで濡らすことが可能となる。
【００２６】
又、本発明では、基本的に水Ｗを紙めくりの成分（紙めくり溶液、紙めくり剤）としていることから、水Ｗがついた指で紙をめくった際に、水Ｗが紙に付着したとしても、乾燥すれば、紙が汚れることが無い。又、指についても、水Ｗが乾燥すれば、指も汚れることが無い。そのため、本発明では、従来の紙めくり用クリーム等と比較して、紙めくり剤を拭き取る手間がかからず、清潔に紙めくりをすることが可能となる。
【００２７】
又、本発明では、紙めくりに使用する水Ｗを抗菌性容器１０に入れておくため、容器１０内で菌が繁殖することを防止する。更に、本発明では、防カビ性不織布を水保湿材１１として用いるため、当該水保湿材１１でカビが生じたりすることを防止する。特に、紙めくりは、長期間にわたって放置され、必要な時に少しだけ使用されるという使用形態であることから、構成全体を抗菌・防カビ性とすることで、ユーザーの繰り返し使用によって紙めくり１又は水Ｗに雑菌やカビが入ったとしても、菌やカビの繁殖を確実に防止し、長期間にわたって紙めくり１を清潔に保つことが可能となる。
【００２８】
ここで、水保湿材１１の材質は、毛細管現象により水Ｗを吸収するシート状の防カビ性不織布であれば、本発明の目的を阻害しない限り、特に限定は無いが、例えば、目付量が１２０ｇ／ｍ２〜２００ｇ／ｍ２であり、熱エンボス加工が施されて、毛細管現象により水Ｗを吸収する不織布であると好ましい。
【００２９】
特に、水保湿材１１が水Ｗを吸収した際に、柔軟となり、自身の剛性を維持出来ないと、下方に垂れて、例えば、水保湿材１１の他方の端部１１ｂが容器１０の外部から内部へ垂れて水Ｗに浸ってしまう場合がある（つまり、紙めくり１として使えない場合がある）。
【００３０】
そこで、水保湿材１１の不織布を、目付量が１２０ｇ／ｍ２〜２００ｇ／ｍ２であり、熱エンボス加工が施されて、毛細管現象により水Ｗを吸収する不織布とすることで、当該水保湿材１１が水Ｗを吸収しても、自身の剛性を維持し、水保湿材１１の他方の端部１１ｂを容器１０の外部に配置された（晒した）状態とし、当該他方の端部１１ｂが容器１０内の水Ｗに浸ってしまうことを防止する。これにより、水保湿材１１の他方の端部１１ｂをいつでも水Ｗに濡れた状態にし、容器１０の外部に露出させておくことが可能となるため、ユーザーはいつでも水保湿材１１の他方の端部１１ｂで指や紙片を濡らすことが可能となる。
【００３１】
尚、目付量が１２０ｇ／ｍ２未満の不織布、例えば、２０ｇ／ｍ２〜３０ｇ／ｍ２の不織布では、熱エンボス加工をいくら施しても、毛細管現象が付与されないため、好ましくない。又、目付量が２００ｇ／ｍ２を越える不織布では、熱エンボス加工を施すことが出来ず、毛細管現象が付与されない場合があり、好ましくない。
【００３２】
又、水保湿材１１の不織布の表面は、本発明の目的を阻害しない限り、特に限定は無いが、例えば、親水処理を施した不織布の表面であると更に好ましい。通常、不織布を構成する材質は、水Ｗを吸収する性質を有していないため、本発明に使用する不織布では、殆ど毛細管現象を実現する構成により水Ｗを吸収することになる。この毛細管現象を促進させるために、不織布の表面に親水処理を施すことで、容器１０の水Ｗを水保湿材１１の全体に素早く吸収させることが可能となる。
【００３３】
又、水保湿材１１の不織布の構成は、本発明の目的を阻害しない限り、特に限定は無いが、例えば、織布の両面（表裏面）に不織布を重ね合わせた多層構成とすることが出来る。これにより、水保湿材１１が水Ｗを吸収したとしても、型崩れせずに、形状を長期的に維持することが出来て、ユーザーがいつでも水保湿材１１の他方の端部１１ｂで指や紙片を濡らすことが可能となる。
【００３４】
又、水保湿材１１の不織布の素材は、本発明の目的を阻害しない限り、特に限定は無いが、例えば、ポリエステル、ポリ塩化ビニル、ポリエチレン、ポリプロピレン等の合成樹脂を採用することが出来る。
【００３５】
又、不織布の防カビ性の付与は、本発明の目的を阻害しない限り、特に限定は無いが、不織布を構成する素材、例えば、合成樹脂に、防カビ性を有する微粒子（具体的には、タンパク質分解酵素、銀微粒子、チタン微粒子等）を練り込んだり、不織布の表面又は内部に、防カビ性の塗料（防カビ剤等）を塗布したりする方法を採用することが出来る。尚、不織布の防カビ性は、例えば、ＪＩＳ  Ｚ  ２９１１（２０１０）（カビ抵抗性試験方法）により評価することが出来る。
【００３６】
ここで、本発明の防カビ性とは、常温常湿において、ユーザーが容器１０内の水Ｗを含む水保湿材１１に指を繰り返し接触させたとしても、この水保湿材１１からカビが生えないことを意味する。
【００３７】
又、水保湿材１１の厚みは、本発明の目的を阻害しない限り、特に限定は無いが、例えば、１ｍｍ〜５ｍｍであると好ましく、１ｍｍ〜３ｍｍであると更に好ましい。これにより、ユーザーが水保湿材１１の他方の端部１１ｂを指で擦る際に、親指と人差指とで水保湿材１１の他方の端部１１ｂを挟んで擦り易くなり、両指を程よい量の水Ｗで濡らすことが可能となる。
【００３８】
又、水保湿材１１の形状は、本発明の目的を阻害しない限り、特に限定は無いが、例えば、図１、図２に示すように、長尺の楕円形状であっても良いし、他の形状として、円形状、三角形状、四角形状、五角形状、六角形状、八角形状、多角形状としても構わない。ユーザーが水保湿材１１の他方の端部１１ｂを指で擦り易くするために、全体として長尺な形状が好ましい。
【００３９】
又、水保湿材１１のサイズは、本発明の目的を阻害しない限り、特に限定は無いが、例えば、図１、図２に示すように、長手方向のサイズを２．０ｃｍ〜１０．０ｃｍとし、短手方向のサイズを１．０ｃｍ〜５．０ｃｍとすることが出来る。これにより、出来るだけコンパクトな紙めくりとすることが出来る。
【００４０】
又、水保湿材１１が容器１０の水Ｗに浸る部分は、他方の端部１１ｂが浸っていれば、本発明の目的を阻害しない限り、特に限定は無いが、例えば、他方の端部１１ｂのみ水Ｗに浸ったり、他方の端部１１ｂを含む半分又はそれ以上の部分を水Ｗに浸ったりしても構わない。
【００４１】
又、容器１０の抗菌性の付与は、本発明の目的を阻害しない限り、特に限定は無いが、容器１０を構成する素材、例えば、合成樹脂に、抗菌性を有する微粒子（具体的には、タンパク質分解酵素、銀微粒子、チタン微粒子等）を練り込んだり、容器１０の内面、つまり、水Ｗを接する面に抗菌性の塗料（抗菌剤等）を塗ったりする方法を採用することが出来る。
【００４２】
ここで、本発明の抗菌性とは、常温常湿において、ユーザーが容器１０内の水Ｗを含む水保湿材１１に指を繰り返し接触させたとしても、この容器１０から菌が繁殖しないことを意味する。本発明の抗菌性は、防カビ性に対応しても良いし、本発明の防カビ性は、抗菌性に対応しても良い。
【００４３】
又、容器１０の形状は、本発明の目的を阻害しない限り、特に限定は無いが、例えば、図１、図２に示すように、底面を有する円筒形状であっても良いし、他の形状として、底面を有する多角筒形状、碗形状、コップ形状等としても構わない。
【００４４】
又、容器１０、水保湿材１１には、例えば、人物、動物、植物、建物、飲食物、飲食用具、風景等のキャラクターや文字、模様、色彩、図柄等を適宜施して、美的外観を向上させることが出来る。又、容器１０、水保湿材１１は、相互に関係する形状、文字、模様、色彩、図柄等を施して、全体として物語性のあるモチーフを醸し出すように構成しても構わない。
【００４５】
又、水Ｗで濡らす対象の紙片は、本発明の目的を阻害しない限り、特に限定は無いが、例えば、切手、印紙、糊がコートされたシール等の水で濡らして使用する紙片であれば、どのような紙片にでも適用出来る。
【００４６】
＜実施例＞
以下に、本発明に係る紙めくりの実施例を具体的に説明するが、本発明の適用が本実施例に限定されるものではない。
【００４７】
実施例では、図３Ａ、図３Ｂ、図３Ｃに示すように、犬の形状を模擬したハウジング１２の内部に、紙めくり１の容器１０を収納することで、空気中の埃、塵、雑菌、カビの胞子が容器１０内の水Ｗに落ちて水Ｗを汚さないようにしている。又、ハウジング１２の所定位置（上方近傍）には、前記ハウジング１２の外部から内部に連通し、水保湿材１１が挿通可能な差込口１２ａを設けて、水保湿材１１の一方の端部１１ａが前記ハウジング１２の外部から前記差込口１２ａに挿通されると、前記ハウジング１２の内部の容器１０の水Ｗに浸されるようにしている。これにより、内部の容器１０をハウジング１２で覆った状態で、水保湿材１１の他方の端部１１ｂを、差込口１２ａからハイジング１２の外部に配置（露出）させることが出来るため、内部の容器１０を清潔に保ったまま、ユーザーは、差込口１２ａからの水保湿材１１の他方の端部１１ｂに指や紙片を接触させることが可能となる。
【００４８】
尚、差込口１２ａを左右に長く構成して、犬の口の形状を模擬すると、紙めくり全体として、犬が口から舌を出しているモチーフを醸し出すことが出来る。差込口１２ａの形状は、特に限定は無く、例えば、犬の表情に対応させて、略Ｗ字状、略Ｍ字状、略Ｖ字状、略への字状、一の字状等を採用することが出来る。
【００４９】
又、ハウジング１２の形態は、例えば、図３Ａに示すように、側面視で円弧状に正面側に張り出し、正面側の下方の左右端部には、犬の足を模擬した突出部１２ｂがそれぞれ設けられている。これにより、紙めくり全体として犬のモチーフを更に醸し出すことが出来る。
【００５０】
又、ハウジング１２の背面には、内部から外部に開放された開口部が設けられ、この背面の開口部を塞ぐことが可能な背面部１２ｃが別個に設けられる。そして、この背面部１２ｃの内側には、ハイジング１２の内部に収納可能な容器１０が設けられるとともに、この背面部１２ｃの外側には、犬の尻尾を模擬した取っ手１２ｄが設けられる。これにより、ユーザーが、背面部１２ｃの取っ手１２ｄを用いて、容器１０をハイジング１２の内部に出し入れすることが出来るため、容器１０を引き出しのように取り扱うことが可能となる。
【００５１】
又、ハウジング１２の内部には、背面部１２ｃの容器１０が載置可能な仕切り板１２ｅが設けられ、これにより、この仕切り板１２ｅの上方空間を、容器１０の収納空間とし、仕切り板１２ｅの下方空間を、予備の水保湿材１１の収納空間とすることが出来る。例えば、複数の予備の水保湿材１１を軽く折り畳んで、仕切り板１２ｅの下方空間に収納しておけば、長期間の使用の結果、水保湿材１１の他方の端部１１ｂが汚れたり劣化したりした場合に、ユーザーは、この水保湿材１１から新しい水保湿材１１に容易に交換することが出来る。
【００５２】
又、ハウジング１２の仕切り板１２ｅの上面には、所定の溝部１２ｆが設けられるとともに、容器１０の下面には、当該容器１０がハウジング１２の内部の仕切り板１２ｅに置かれたときに、当該仕切り板１２ｅの溝部１２ｆに嵌る（係合する）突起部１０ａが設けられる。これにより、前記溝部１２ｆと突起部１０ａとの嵌合が、ハウジング１２の内部に対する容器１０の位置決め（ストッパー）として機能し、容器１０をハウジング１２の内部に適切に収納させることが可能となる。尚、溝部１２ｆ及び突起部１０ａの形状は、図３Ｃ，図４Ａ、図４Ｂに示すように、溝部１２ｆを、断面視で略Ｖ字状で、かつ、直線状の溝とし、突起部１０ａを断面視で略Ｖ字状で、かつ、直線状の突起としているが、位置決めとして機能すれば、特に限定は無い。又、仕切り板１２ｅの溝部１２ｆと容器１０の突起部１０ａとを逆転させて、仕切り板１２ｅに突起部を設けて容器１０に溝部を設けても構わない。
【００５３】
又、図４Ａ、図４Ｂに示すように、ハウジング１２の内面で、かつ、差込口１２ａの上方近傍に、ハウジング１２内の容器１０の内部に向かって延出された案内板１２ｇが設けられ、水保湿材１１の一方の端部１１ａが、外部から差込口１２ａへ挿通されると、当該案内板１２ｇが、当該一方の端部１１ａを容器１０の内部へ向かって案内するよう構成される。これにより、ユーザーが、水保湿材１１を差込口１２ａに差し込めば、当該水保湿材１１の一方の端部１１ａを容器１０内の水Ｗに確実に浸すことが可能となる。尚、水保湿材１１の他方の端部１１ｂが汚れた場合は、ユーザーが、この他方の端部１１ｂを差込口１２ａから外部に引き抜けば、水保湿材１１を容易に取り出すことが出来る。
【００５４】
ここで、案内板１２ｇの形状は、差込口１２ａの上方近傍から、容器１０の内部に向かって延出された形状であれば、特に限定は無く、直方体状でも、円弧状でも構わない。又、この案内板１２ｇの数は、一つでも複数でも構わない。
【００５５】
又、上述した実施例の各部は、一体成形であっても、各部を別個に成形して、後から接着剤等の接着手段により接合しても構わない。又、実施例のハウジング１２の材質は、本発明の目的を阻害しない限り、特に限定はなく、例えば、合成樹脂を挙げることが出来る。
【００５６】
尚、図３、図４では、ハウジング１２の全体の外形を犬に模擬したが、模擬する対象は、特に限定は無く、動物（猫、牛、馬等）でも植物でも人工物でも風景でも構わない。
【００５７】
＜防カビ性、抗菌性試験＞
防カビ性は、ＪＩＳ  Ｚ  ２９１１（２０１０）（カビ抵抗性試験方法）に規定される一般工業製品の試験方法で測定した。具体的には、３０ｍｍ×３０ｍｍの不織布（東洋興業製、目付量が１２０ｇ／ｍ２〜２００ｇ／ｍ２、熱エンボス加工）を採取し、水含有前の不織布と、水含有後の不織布を用意し、各不織布に、分離酵母又は繊維カビの液を噴霧し、所定の温度、湿度に放置し、４週間培養して、酵母又はカビの繁殖を確認した。分離酵母は、既存の酵母液から所定のフィルターを介して分離したものであり、繊維カビは、Ａｓｐｅｒｇｉｌｌｕｓ  ｎｉｇｅｒ（ＮＢＲＣ  １０５６４９）、Ｐｅｎｉｃｉｌｌｉｕｍ  ｃｉｔｒｉｎｕｍ（ＮＢＲＣ  ６３５２）、Ｃｈａｅｔｏｍｉｕｍ  ｇｌｏｂｏｓｕｍ（ＮＢＲＣ  ６３４７）、Ｍｙｒｏｔｈｅｃｉｕｍ  ｖｅｒｒｕｃａｒｉａ（ＮＢＲＣ  ６１１３）の４種類の混合カビである。不織布が水を含有している状態は、紙めくりの水保湿材が水を含有して使用されている状態に対応する。
【００５８】
図５Ａ１、図５Ａ２には、水含有前又は水含有後の不織布に分離酵母を噴霧した場合の繁殖状況を示し、図５Ｂ１、図５Ｂ２には、水含有前又は水含有後の不織布に繊維カビを噴霧した場合の繁殖状況を示す。前記酵母又はカビの繁殖を確認した結果、水の含有にかかわらず、不織布の接種した部分に分離酵母も繊維カビも菌糸の発育が認められず、試験結果の表示は、いずれも「０」であった。又、発育阻止幅を確認すると、水含有前の不織布における分離酵母では、１１ｍｍ、水含有後の不織布における分離酵母では、１０ｍｍ、水含有前の不織布における繊維カビでは、４ｍｍ、水含有後の不織布における繊維カビでは、３ｍｍであった。
【００５９】
次に、前記不織布を用いて、図１に示す水保湿材１１を作成し、更に、黄色ブドウ球菌、大腸菌の増殖を抑制する銀微粒子を含有した合成樹脂（株式会社ミューファン製）を用いて、図１に示す容器１０を作成し、本発明の紙めくり１を作製した。この紙めくり１の容器１０に水Ｗを入れて、１日、数回、水保湿材１１に指を接触させることで、紙めくりとして使用した。これを２週間継続して実施して、紙めくり１に菌やカビの繁殖を確認した結果、菌やカビは繁殖していなかった。従って、長期間にわたって清潔に紙めくりを使用出来ることを確認出来た。
【産業上の利用可能性】
【００６０】
以上のように、本発明に係る紙めくりは、家庭用や業務用の紙めくりとして有用であり、指に水が無駄につかずに、清潔に使用することが可能な紙めくりとして有効である。
【符号の説明】
【００６１】
１  紙めくり
１０  容器
１１  水保湿材
１２  ハウジング
Ｗ  水
【要約】
【課題】指に水が無駄につかずに、清潔に使用することが可能な紙めくりを提供する。
【解決手段】指や紙片を水で濡らすための紙めくり１であって、水を入れる抗菌性容器１０と、材質が毛細管現象により水を吸収するシート状の防カビ性不織布であり、一方の端部１１ａが前記容器１０の水に浸水され、他方の端部１１ｂが前記容器１０の外部に配置された水保湿材１１とを備え、前記水保湿材１１の他方の端部１１ｂに指や紙片を接触させることで、当該指や紙片を水に濡らすことを特徴とする。
【選択図】図２【図１】
0005629914.tif 000002
【図２】
0005629914.tif 000003
【図３】
0005629914.tif 000004
【図４】
0005629914.tif 000005
【図５】
0005629914.tif 000006